(57)【特許請求の範囲】
【請求項１】
一次コイルと二次コイルとを鉄心で磁気的に結合させた鉄心・コイル組立体を絶縁ケース内に収容し、この絶縁ケース内に配設した二次端子に、前記二次コイルの端末に接続した端末ピンを自身の弾性によって圧接させる内燃機関用点火コイルにおいて、
前記端末ピンが圧接する前記二次端子の部分にスプリング状の仲介端子を配設し、
前記端末ピンの前記仲介端子に対応する部分に、前記仲介端子内へ一部が入るＶ字状の折り曲げ部を設けた、
ことを特徴とする内燃機関用点火コイル。
【請求項２】
一次コイルと二次コイルとを鉄心で磁気的に結合させた鉄心・コイル組立体を絶縁ケース内に収容し、この絶縁ケース内に配設した二次端子に、前記二次コイルの端末を接続した端末ピンを自身の弾性によって圧接させる内燃機関用点火コイルにおいて、
前記端末ピンが圧接する前記二次端子の部分に筒状の仲介端子を配設し、
前記端末ピンの前記仲介端子に対応する部分に、前記仲介端子内へ一部が入るＶ字状の折り曲げ部を設けた、
ことを特徴とする内燃機関用点火コイル。
【請求項３】
請求項２に記載の内燃機関用点火コイルにおいて、
前記仲介端子の前記端末ピンに対応する部分に、位置決め用切欠を設けた、
ことを特徴とする内燃機関用点火コイル。
【発明の詳細な説明】
【０００１】
【発明の属する技術分野】
この発明は、例えば、自動車のエンジンの点火プラグに火花放電を発生させるための高電圧を供給するモールド型の内燃機関用点火コイルに関するものである。
【０００２】
【従来の技術】
図３は従来の内燃機関用点火コイルの概略構成を示す縦断面図である。
【０００３】
図３において、内燃機関用点火コイル１１は、鉄心・コイル組立体１２と、この鉄心・コイル組立体１２を収容する合成樹脂製の絶縁ケース２２と、この絶縁ケース２２に取り付けられた、図示されていない複数の一次端子（低圧端子）（２５）、および一つの二次端子（高圧端子）２６と、絶縁ケース２２内に各構成部品を絶縁しながら固定する絶縁性を有した熱硬化性樹脂２９とで構成されている。
【０００４】
上記した鉄心・コイル組立体１２は、直線状のセンタ鉄心１４、このセンタ鉄心１４が中に配置されて内部を二分され、センタ鉄心１４とで閉磁路を形成するサイド鉄心１５からなる鉄心１３と、センタ鉄心１４が挿通される一次コイルボビン１６と、この一次コイルボビン１６に配設され、一次端子（２５）に接続される一次端末ピン１７Ａ，１７Ｂと、一次コイルボビン１６の周囲に巻き付けられ、巻き始めが一次端末ピン１７Ａに接続されるとともに、巻き終わりが一次端末ピン１７Ｂに接続され、サイド鉄心１５の内側に配置される一次コイル１８と、この一次コイル１８が挿通される、一次コイルボビン１６と同心状に形成された二次コイルボビン１９と、この二次コイルボビン１９に配設された二次端末ピン２０Ａ，２０Ｂと、二次コイルボビン１９の周囲に巻き付けられ、巻き始めが二次端末ピン２０Ａに接続されるとともに、巻き終わりが二次端末ピン２０Ｂに接続され、サイド鉄心１５の内側に配置される二次コイル２１とで構成されている。
【０００５】
なお、各端末ピン１７Ａ，１７Ｂ，２０Ａ，２０Ｂは、例えば黄銅線などで構成されている。
そして、二次コイル２１の巻き終わりが接続された二次端末ピン２０Ｂは、アルミや黄銅などで円錐状に切削加工またはプレス加工された二次端子２６の部分に、二次コイルボビン１９の鍔１９ａに形成された位置決めスリット１９ａ1で対応するように位置決めされ、自身の弾性によって二次端子２６に圧接するようになされている。
【０００６】
次に、絶縁ケース２２には、複数の一次端子（２５）が、例えばインサート成形によって側壁に取り付けられた、図示されていないコネクタ部（２３）が設けられ、二次端子２６を圧入する高圧タワー部２４が底に設けられている。
なお、一次コイル１８、二次コイル２１、一次端子（２５）および二次端子２６は、後述する動作で説明するような回路を形成するように接続されている。
【０００７】
次に、動作について説明する。
上記のように構成された内燃機関用点火コイル１１の一次コイル１８に、一次端子（２５）および両一次端末ピン１７Ａ，１７Ｂを介して所定の電流を通電した後に遮断すると、二次コイル２１に発生した高電圧の電流は、二次端末ピン２０Ｂを介した二次端子２６から図示を省略したハイテンションコードを介して点火プラグに供給される。
【０００８】
【発明が解決しようとする課題】
従来の内燃機関用点火コイル１１は、図３に示すように、二次端末ピン２０Ｂが二次端子２６に１点で点接触しているので、二次端末ピン２０Ｂの傾き角度により、例えば二次端末ピン２０Ｂが上側へ反り返っていると、二次端末ピン２０Ｂが二次端子２６から離れて接触不良になる可能性が高く、接触の信頼性に欠けるという問題があった。
【０００９】
この発明は、上記したような不都合を解消するためになされたもので、端末ピンの二次端子への接触不良を改善することにより、接触における信頼性の高い内燃機関用点火コイルを提供するものである。
【００１０】
【課題を解決するための手段】
この発明は、一次コイルと二次コイルとを鉄心で磁気的に結合させた鉄心・コイル組立体を絶縁ケース内に収容し、この絶縁ケース内に配設した二次端子に、二次コイルの端末に接続した端末ピンを自身の弾性によって圧接させる内燃機関用点火コイルにおいて、端末ピンが圧接する二次端子の部分にスプリング状の仲介端子を配設し、端末ピンの仲介端子に対応する部分に、仲介端子内へ一部が入るＶ字状の折り曲げ部を設け、または、端末ピンが圧接する二次端子の部分に筒状の仲介端子を配設し、端末ピンの仲介端子に対応する部分に、仲介端子内へ一部が入るＶ字状の折り曲げ部を設けたものである。
そして、筒状の仲介端子を二次端子に配設する場合、仲介端子の端末ピンに対応する部分に、位置決め用切欠を設けるのが望ましい。
【００１１】
【発明の実施の形態】
以下、この発明の実施形態を図に基づいて説明する。
図１はこの発明の第１実施形態である内燃機関用点火コイルの概略構成を示す縦断面図であり、図３と同一または相当部分に同一符号を付して説明を省略する。
【００１２】
図１において、二次端末ピン２０Ｂが圧接する二次端子２６の円錐状部分には、円錐状部分を嵌合させた状態でスプリング状の仲介端子２７が配設されている。
そして、二次端末ピン２０Ｂの仲介端子２７に対応する部分に、仲介端子２７内へ一部が入るＶ字状の折り曲げ部２０ｖが設けられている。
【００１３】
このように、二次端末ピン２０Ｂの仲介端子２７に対応する部分にＶ字状の折り曲げ部２０ｖを設けると、二次端末ピン２０Ｂは、二次コイルボビン１９の鍔１９ａに形成された位置決めスリット１９ａ1で二次端子２６に対応するように位置決めされているので、二次端末ピン２０Ｂの傾き角度が多少変化しても、スプリング状の仲介端子２７が追従することにより、二次端末ピン２０Ｂを仲介端子２７に確実に圧接させることができる。
【００１４】
また、二次端末ピン２０Ｂの仲介端子２７に対応する部分にＶ字状の折り曲げ部２０ｖを設けたので、この折り曲げ部２０ｖが仲介端子２７内へ入ることにより、二次端末ピン２０Ｂが仲介端子２７に２点で点接触する。
なお、二次端末ピン２０Ｂの傾き角度が変化すると、最悪の場合、折り曲げ部２０ｖの先端側が仲介端子２７から離れるものの、後端側が仲介端子２７に圧接することにより、接触不良が起こらなくなる。
【００１５】
図２（ａ），（ｂ）はこの発明の第２実施形態である内燃機関用点火コイルの概略構成を示す縦断面図、図２（ａ）に示した筒状の仲介端子の拡大斜視図であり、図１、図３と同一または相当部分に同一符号を付して説明を省略する。
【００１６】
図２において、二次端末ピン２０Ｂが圧接する二次端子２６の円錐状部分には、円錐状部分を嵌合させた状態で筒状の仲介端子２８が配設されている。
そして、二次端末ピン２０Ｂの仲介端子２８に対応する部分に、仲介端子２８内へ一部が入るＶ字状の折り曲げ部２０ｖが設けられている。
また、仲介端子２８の二次端末ピン２０Ｂに対応する部分に、二次端末ピン２０Ｂを位置決めするＶ字状の位置決め用切欠２８ｃが、円周の略１８０度の位置、すなわち、直径の部分に設けられている。
【００１７】
このように、二次端末ピン２０Ｂの仲介端子２８に対応する部分に折り曲げ部２０ｖを設けると、二次端末ピン２０Ｂは、二次コイルボビン１９の鍔１９ａに形成された位置決めスリット１９ａ1で二次端子２６に対応するように位置決めされているので、二次端末ピン２０Ｂの傾き角度が多少変化しても、二次端末ピン２０Ｂを仲介端子２８に確実に圧接させることができる。
【００１８】
そして、仲介端子２８にＶ字状の位置決め用切欠２８ｃを設けたので、位置決め用切欠２８ｃで、二次端末ピン２０Ｂを仲介端子２８へ圧接するように、Ｖ字状の位置決め用切欠２８ｃの底へぶれないように案内し、位置決めするため、二次端末ピン２０Ｂを仲介端子２８へ確実に圧接させることができる。
また、二次端末ピン２０Ｂの仲介端子２８に対応する部分に折り曲げ部２０ｖを設けたので、この折り曲げ部２０ｖが仲介端子２８内へ入ることにより、二次端末ピン２０Ｂが仲介端子２８に２点で点接触する。
なお、二次端末ピン２０Ｂの傾き角度が変化すると、最悪の場合、折り曲げ部２０ｖの先端側が仲介端子２８から離れるものの、後端側が仲介端子２８に圧接することにより、接触不良が起こらなくなる。
【００１９】
上記した実施形態では、センタ鉄心１４とサイド鉄心１５とで鉄心１３を構成した例を示したが、センタ鉄心のみで鉄心を構成したものであってもよい。
また、コネクタ部（２３）、一次端子（２５）についての説明および図示を省略したが、当然のことながら、従来例と同様に設けられている。
【００２０】
【発明の効果】
以上のように、この発明によれば、端末ピンが圧接する二次端子の部分にスプリング状の仲介端子を配設し、端末ピンの仲介端子に対応する部分に、仲介端子内へ一部が入るＶ字状の折り曲げ部を設け、または、端末ピンが圧接する二次端子の部分に筒状の仲介端子を配設し、端末ピンの仲介端子に対応する部分に、仲介端子内へ一部が入るＶ字状の折り曲げ部を設けたので、端末ピンの傾き角度が多少変化しても、端末ピンを仲介端子に確実に圧接させることができる。
また、端末ピンの仲介端子に対応する部分に折り曲げ部を設けたので、この折り曲げ部が仲介端子内へ入ることにより、端末ピンを仲介端子に２点で点接触させることができる。
【００２１】
したがって、端末ピンの二次端子への接触不良が改善され、接触における信頼性の高い内燃機関用点火コイルを提供することができる。
そして、筒状の仲介端子を二次端子に配設する場合、仲介端子の端末ピンに対応する部分に、位置決め用切欠を設けたので、位置決め用切欠で、端末ピンを仲介端子へ圧接するように案内し、位置決めするため、端末ピンを仲介端子へ確実に圧接させることができる。
【図面の簡単な説明】
【図１】この発明の第１実施形態である内燃機関用点火コイルの概略構成を示す縦断面図である。
【図２】（ａ）はこの発明の第２実施形態である内燃機関用点火コイルの概略構成を示す縦断面図、（ｂ）は図２（ａ）に示した筒状の仲介端子の拡大斜視図である。
【図３】従来の内燃機関用点火コイルの概略構成を示す縦断面図である。
【符号の説明】
１１            内燃機関用点火コイル
１２            鉄心・コイル組立体
１３            鉄心
１４            センタ鉄心
１５            サイド鉄心
１６            一次コイルボビン
１７Ａ，１７Ｂ  一次端末ピン
１８            一次コイル
１９            二次コイルボビン
１９ａ          鍔
１９ａ1         位置決めスリット
２０Ａ，２０Ｂ  二次端末ピン
２０ｖ          折り曲げ部
２１            二次コイル
２２            絶縁ケース
２４            高圧タワー部
２６            二次端子（高圧端子）
２７，２８      仲介端子
２８ｃ          位置決め用切欠
２９            熱硬化性樹脂
【図１】
0003655870.tif 000002
【図２】
0003655870.tif 000003
【図３】
0003655870.tif 000004